(57)【特許請求の範囲】
【請求項１】
下記式（ａ）に示す（メタ）アクリル酸と下記式（ｂ）に示す（メタ）アクリル酸エステルとの共重合体と、生分解性研磨材と、ポリオキシエチレンポリオキシプロピレンプロピルヘプチルエーテルとを含有する組成物を含む、身体洗浄用化粧料。
【化１】
0005885938.tif 000009
（式（ａ）中のＲ１は水素原子、又はメチル基を表す。）
【化２】
0005885938.tif 000010
（式（ｂ）中のＲ２は水素原子、又はメチル基を表し、Ｒ３は炭素数１０〜３０のアルキル基を表す。）
【請求項２】
前記組成物中、前記共重合体を、０．１〜５質量部、
前記生分解性研磨剤を１〜２０質量部、
前記ポリオキシエチレンポリオキシプロピレンプロピルヘプチルエーテルを、１〜５０質量部含有することを特徴とする請求項１に記載の身体洗浄用化粧料。
【請求項３】
前記生分解性研磨剤の平均粒子径が１〜５００μｍの範囲であることを特徴とする請求項１又は２に記載の身体洗浄用化粧料。
【請求項４】
前記生分解性研磨剤が、ポリブチレンサクシネート、ポリブチレンサクシネートアジペート及びポリ乳酸の粒子から選ばれる化学合成系高分子であることを特徴とする請求項１〜３のいずれか１項に記載の身体洗浄用化粧料。
【請求項５】
中和剤を含むことを特徴とする請求項１〜４のいずれか１項に記載の身体洗浄用化粧料。
【請求項６】
手指洗浄に用いられる、請求項１〜５のいずれか１項に記載の身体洗浄用化粧料。
【発明の詳細な説明】
【技術分野】
【０００１】
本発明は、身体洗浄用化粧料に用いられる組成物に関する。
【背景技術】
【０００２】
産業分野において、切削油やグリースのような強固な汚れを取り除くために、界面活性剤と、スクラブ粒子等の研磨剤とを含有する様々な身体洗浄用化粧料が用いられている。  例えば、特許文献１〜４で開示されている身体洗浄用化粧料がある。
【０００３】
特許文献１には、有機研磨剤を含む洗浄組成物が開示されており、汚れを洗浄できることが記載されている。
【０００４】
特許文献２には、生物分解性プラスチックから成る研磨剤を含む洗浄剤組成物が開示されており、無公害であることが記載されている。
【０００５】
特許文献３には、テルペン炭化水素（アルコール）と、研磨剤と、脂肪酸塩を含む洗浄剤組成物が開示されており、洗浄性が優れ、皮膚に対する刺激性が小さいことが記載されている。
【０００６】
特許文献４には、Ｎａ・Ｍｇ・Ｓｉｌｉｃａｔｅと、アニオン性界面活性剤を含む洗浄剤組成物が開示されており、使用感が高いことが記載されている。
【先行技術文献】
【特許文献】
【０００７】
【特許文献１】特開平２−８０４９７号公報
【特許文献２】特開平４−３３１２９４号公報
【特許文献３】特開平７−１２６１５２号公報
【特許文献４】特開２００７−１４６０９４号公報
【発明の概要】
【発明が解決しようとする課題】
【０００８】
しかしながら、従来用いられてきた身体洗浄用化粧料では、水でのすすぎ洗い時にぬめり感があるというすすぎ性が悪いという問題があり、使用者の満足を十分に得られないという課題があった。
本発明は、水ですすぎ洗いする際のぬめり感が少なく、すすぎ性が良く、また使用した際の感触が良い身体洗浄用化粧料に用いる組成物を提供することを目的とする。
【課題を解決するための手段】
【０００９】
本発明者は、かかる問題を解決するために鋭意検討を行った結果、特定の増粘剤と特定の界面活性剤とを配合することで、洗浄時のぬめり感を低減し、すすぎ性を改善することができることを見出し、本発明を完成するに至った。
【００１０】
すなわち本発明は、下記に記載する通りである。
〔１〕下記式（ａ）に示す（メタ）アクリル酸と下記式（ｂ）に示す（メタ）アクリル酸エステルとの共重合体と、生分解性研磨材と、ポリオキシプロピレン基を有する非イオン性界面活性剤とを含有する組成物。
【００１１】
【化１】
0005885938.tif 000002
（式（ａ）中のＲ１は水素原子、又はメチル基を表す。）
【００１２】
【化２】
0005885938.tif 000003
（式（ｂ）中のＲ２は水素原子、又はメチル基を表し、Ｒ３はアルキル基を表す。）
【００１３】
〔２〕上記式（ｂ）に示す（メタ）アクリル酸エステルのＲ３が炭素数１０〜３０のアルキル基であることを特徴とする上記〔１〕に記載する組成物。
〔３〕前記共重合体を、０．１〜５質量部、生分解性研磨剤を１〜２０質量部、ポリオキシプロピレン基を有する非イオン性界面活性剤を、１〜５０質量部含有することを特徴とする上記〔１〕又は〔２〕に記載の組成物。
〔４〕生分解性研磨剤の平均粒子径が１〜５００μｍの範囲であることを特徴とする上記〔１〕〜〔３〕のいずれかに記載の組成物。
〔５〕生分解性研磨剤が、ポリブチレンサクシネート、ポリブチレンサクシネートアジペートまたはポリ乳酸の粒子から選ばれる化学合成系高分子であることを特徴とする上記〔１〕〜〔４〕のいずれかに記載の組成物。
〔６〕中和剤を含むことを特徴とする上記〔１〕〜〔５〕のいずれかに記載の組成物。
〔７〕上記〔１〕〜〔６〕のいずれかに記載の組成物を含むことを特徴とする身体洗浄用化粧料。
〔８〕上記〔１〕〜〔６〕のいずれかに記載の組成物を含むことを特徴とする手指洗浄用化粧料。
【発明の効果】
【００１４】
本発明により、洗浄時のぬめり感が低減されて、すすぎ性が高く、また、使用感が高い組成物、及び身体洗浄用化粧料が得られる。
【発明を実施するための形態】
【００１５】
本発明について、以下具体的に説明する。本発明は、特定の共重合体と、生分解性研磨材と、特定の界面活性剤とを含有する組成物である。
本発明は、下記式（ａ）に示す（メタ）アクリル酸と下記式（ｂ）に示す（メタ）アクリル酸エステルとを含む単量体混合物を重合させて得られる共重合体を含む。
【００１６】
【化３】
0005885938.tif 000004
（式（ａ）中のＲ１は水素原子、又はメチル基を表す。）
【００１７】
【化４】
0005885938.tif 000005
（式（ｂ）中のＲ２は水素原子、又はメチル基を表し、Ｒ３はアルキル基を表す。）
【００１８】
具体的な共重合体としては以下のものをあげることができる。
（メタ）アクリル酸/(メタ)アクリル酸ヘキシル共重合体、（メタ）アクリル酸/(メタ)アクリル酸オクチル共重合体、（メタ）アクリル酸/(メタ)アクリル酸デシル共重合体、（メタ）アクリル酸/(メタ)アクリル酸ドデシル共重合体、（メタ）アクリル酸/(メタ)アクリル酸テトラデシル共重合体、（メタ）アクリル酸/(メタ)アクリル酸ヘキサデシル共重合体、（メタ）アクリル酸/(メタ)アクリル酸オクタデシル共重合体、（メタ）アクリル酸/(メタ)アクリル酸エイコシル共重合体、（メタ）アクリル酸/(メタ)アクリル酸ドコシル共重合体、（メタ）アクリル酸/(メタ)アクリル酸テトラコシル共重合体、（メタ）アクリル酸/(メタ)アクリル酸ヘキサコシル共重合体、（メタ）アクリル酸/(メタ)アクリル酸オクタコシル共重合体、（メタ）アクリル酸/(メタ)アクリル酸トリアコンチル共重合体、（メタ）アクリル酸/(メタ)アクリル酸ドトリアコンチル共重合体、（メタ）アクリル酸/(メタ)アクリル酸テトラアコンチル共重合体等が挙げられる。
【００１９】
また、ルーブリゾール社製Ｃａｒｂｏｐｌｏｌ（１３４２）、Ｃａｒｂｏｐｌｏｌ（１３８２）、Ｃａｒｂｏｐｌｏｌ（ＥＴＤ２０２０）、Ｕｌｔｒｅｚ２１、Ｕｌｔｒｅｚ２０、ＰＥＭＵＬＥＮ（ＴＲ１）、ＰＥＭＵＬＥＮ（ＴＲ２）、住友精化社製ＡＱＵＰＥＣ（ＨＶ−７０１ＥＤＲ）、ＡＱＵＰＥＣ（ＨＶ−５０１ＥＲ）、ＡＱＵＰＥＣ（ＨＶ−５０１ＥＭ）などを用いることができる。本発明における共重合体は、式（ａ）に示す（メタ）アクリル酸が、親水基としてＯＨ基を有し、下記式（ｂ）に示す（メタ）アクリル酸エステルが、疎水基としてＯＲ３基を有しており、親水性と疎水性のバランスが極めて高い。
【００２０】
また、本発明における共重合体では、上記式（ｂ）中のＲ３が、炭素数１０〜３０のアルキル基であることが好ましい。１０以上であれば、十分に増粘する。３０以下であれば、水溶性も十分に確保することができる。また、保存安定性も向上する。
【００２１】
本発明は、生分解性研磨剤を含有する。具体的な生分解性研磨剤としては、以下のものをあげることができる。
【００２２】
天然素材系では、クルミの殻、トウモロコシ穂軸、アンズ核などを用いることができる。化学合成系高分子では、ポリヒドロキシブチレート、ポリ（ヒドロキシブチレート/ヒドロキシヘキサノエート）、エステル化澱粉、酢酸セルロース、キトサン／セルロース／澱粉混合物粒子、ポリブチレンサクシネート粒子、ポリブチレンサクシネートアジペート粒子、ポリ乳酸粒子、ポリエチレンサクシネート粒子、ポリカプロラクトン系樹脂粒子、ポリグリコール酸粒子、ポリテトラメチレンアジペート・コ・テレフタレート粒子、ポリブチレンアジペートテレフタレート粒子、ポリブチレンサクシネート・コ・アジペート・コ・テレフタレート粒子、ポリブチレンサクシネートカーボネート粒子、ポリブチレンサクシネートテレフタレート粒子等を用いることができる。
【００２３】
本発明において、生分解性研磨剤としては、環境に優しく、かつ、皮膚を傷つけない適当な硬度を持つものであることが好ましい。
【００２４】
生分解性研磨剤としては、粒子径分布、粒子形状が揃っていて、皮膚を傷つけにくい点で化学合成系高分子が好ましい。より好ましくは、ポリブチレンサクシネート、ポリブチレンサクシネートアジペートまたはポリ乳酸の粒子から選ばれる一種または二種以上である。特定の生分解性研磨剤と、本発明における共重合体により、感触が向上する。更に好ましくはポリ乳酸を用いることが望ましい。
【００２５】
本発明は、親水基としてポリオキシプロピレン基を有する非イオン性界面活性剤を含有する。非イオン性界面活性剤は、皮膚へ刺激性が低く、洗浄力も高い。そして、親水基としてポリオキシプロピレン基を有する非イオン性界面活性剤であることにより、本発明における共重合体との親和性が高く、洗浄性及びすすぎ性が向上する。
【００２６】
ポリオキシプロピレン基を有する非イオン性界面活性剤としては、ポリオキシエチレンポリオキシプロピレンプロピルヘプチルエーテル、ポリオキシエチレンポリオキシプロピレンブチルエーテル、ポリオキシエチレンポリオキシプロピレンセチルエーテル、ポリオキシエチレンポリオキシプロピレンデシルテトラデシルエーテル、ポリオキシエチレンポリオキシプロピレングリセリルエーテル、ポリオキシエチレンポリオキシプロピレングリコールが挙げられる。
【００２７】
特に、ポリオキシエチレンポリオキシプロピレンプロピルヘプチルエーテルは、親水基としてポリオキシプロピレン基を有し、さらに、分岐した疎水基を有しているため、疎水基と親水基の両方を併せ持つ本発明における共重合体との親和性がより高く、洗浄及びすすぎ性が飛躍的に向上する。
【００２８】
また、本発明は、皮膚への刺激性の点から、ｐＨを５．５〜９．５の範囲に調整することが好ましく、ｐＨ６．５〜８．５がより好ましい。
【００２９】
また、本発明は、中和剤を含むことが好ましい。中和剤の具体例としては、水酸化Ｎａ、水酸化Ｋ、アンモニア水などの無機物、トリメチルアミン、ジエタノールアミン、ジエチルアミン、トリエタノールアミンなどの有機アミンを用いることができる。
【００３０】
身体洗浄用化粧料の保存安定性の観点から、水酸化Ｎａ及びトリエタノールアミンが好ましい。より好ましくは、トリエタノールアミンである。トリエタノールアミンを用いると、本発明における共重合体と中和剤との相乗効果により、使用した際のさっぱり感が著しく向上する。
【００３１】
本発明の組成物は、特に皮膚への良好な感触が得られる点において、各成分が以下の含有量であることが好ましい。共重合体は、０．１〜５質量部含むことが好ましい。より好ましくは、０．１〜１質量部である。
【００３２】
生分解性研磨剤は、１〜２０質量部含むことが好ましい。なお、平均粒子径は１〜５００μｍの範囲であることが好ましい。
【００３３】
ポリオキシプロピレン基を有する非イオン性界面活性剤は、良好な感触が得られるという観点から、１〜５０質量部であることが好ましい。より好ましくは５〜２０重量部である。
【００３４】
中和剤は、０．１〜５質量部含むことが好ましい。より好ましくは、０．２〜１質量部である。
【００３５】
また、本発明は、粘度が２０００〜２００００ｍＰａ・ｓであることが好ましい。粘度が２００００ｍＰａ・ｓ以下であれば、容器ポンプからの吐出性が十分である。特に冬季気温の低下した場合においても、流動性が低下しない。一方、２０００ｍＰａ・ｓ以上であれば、生分解性研磨剤の安定な懸濁状態が維持される。より好ましくは、３５００ｍＰａ・ｓ〜６０００ｍＰａ・ｓである。本発明において、粘度は、Ｂ型粘度計を用い、４号ローター、６０ｒｐｍで、２５℃において測定を行う。
【００３６】
本発明の組成物は、すすぎ性が高く、感触も良く、身体洗浄用組成物として好適である。身体洗浄用としては、手指、足、胴体、顔、頭部を洗浄する用途に用いることが可能であるが、手指に付着した油、錆、カーボン等の強固な汚れを洗浄するのにより好適である。
【００３７】
本発明は、発明の効果を阻害しない範囲において通常用いられる添加剤を含んでもよい。具体的には、以下のものが挙げられる。
【００３８】
陽イオン性界面活性剤としては以下のものをあげることができる。
アンモニウム系では、塩化アルキルトリメチルアンモニウム、塩化アルキルジメチルベンジルアンモニウム、塩化ジアルキルジメチルアンモニウム、臭化アルキルトリメチルアンモニウム、塩化アルキルペンタエトキシアンモニウム、エチル硫酸ラノリン脂肪酸アミノプロピルエチルジメチルアンモニウム、カチオン化セルロースなどを用いることができる。
【００３９】
アミド系では、アシルジエチルアミノエチルアミド、アシルジメチルアミノプロピルアミド、ポリオキシエチレン脂肪酸アミドなどを用いることができる。
その他では、ミリスチルジメチルアミンオキシドなどを用いることができる。
【００４０】
両イオン性界面活性剤としては以下のものがあげられる。
ベタイン系では、脂肪酸残基の炭素数が１３以上のアルキルジメチルアミノ酢酸ベタイン、アシルアミドプロピルジメチルアミノ酢酸ベタインなどを用いることができる。
【００４１】
イミダゾリニウム系では、Ｎ−アルキル−Ｎ−カルボキシメチル−Ｎ−ヒドロキシエチルイミダゾリニウムベタイン、Ｎ−アルキル−Ｎ―カルボキシメチル−Ｎ−ヒドロキシエチルエチレンジアミン・ラウリル硫酸およびその塩などを用いることができる。
グリシン型では、ポリオクチルポリアミノエチルグリシンなどを用いることができる。
アミノプロピオン酸型では、アルキルアミノプロピオン酸、アルキルアミノジプロピオン酸などを用いることができる。
【００４２】
陰イオン性界面活性剤としては以下のものがあげられる。
石鹸では、炭素数が１７以下のナトリウム石鹸などを用いることができる。
アミノ酸系では、脂肪酸残基の炭素数が１７以下のアシルサルコシンおよびその塩、アシルアミノ酸およびその塩、アシル化ペプチドおよびその塩などを用いることができる。
【００４３】
ポリオキシアルキレン付加物では、ポリオキシエチレンアルキルエーテルカルボン酸及びその塩、ポリオキシエチレンアルキルエーテル硫酸及びその塩、ポリオキシエチレンアルキルエーテルスルホン酸およびその塩などを用いることができる。
【００４４】
リン酸系では、アルキルリン酸およびそのカリウム塩またはアルカノールアミン塩、ポリオキシエチレンアルキルエーテルリン酸およびその塩などを用いることができる。
スルホコハク酸系では、スルホコハク酸ジアルキルおよびその塩、ポリオキシエチレンスルホコハク酸アルキルエーテルおよびその塩などを用いることができる。
【００４５】
アルキルフェノール系では、アルキルフェノールエーテルリン酸エステルおよびその塩などを用いることができる。
【００４６】
その他の非イオン性界面活性剤としては以下のものがあげられる。
ポリオキシアルキレンエーテル系では、ポリオキシエチレンソルビットミツロウ、ポリオキシエチレンヒマシ油、ポリオキシエチレンステロール、ポリオキシエチレン水素添加ステロール、ポリオキシエチレンラノリン、ポリオキシエチレンラノリンアルコール、ポリオキシエチレンアルキルフェニルホルムアルデヒド縮合物などを用いることができる。
リン脂質としては、レシチンなどを用いることができる。
【００４７】
エステル系では、プロピレングリコール脂肪酸エステル、グリセリン脂肪酸エステル、ポリグリセリン脂肪酸エステル、ポリオキシエチレングリセリン脂肪酸エステル、ソルビタン脂肪酸エステル、脂肪酸残基の炭素数が１７以下のポリオキシエチレンソルビタン脂肪酸エステル、脂肪酸残基が飽和炭素鎖であるポリオキシエチレンソルビット脂肪酸エステル、ポリエチレングリコール脂肪酸エステルなどを用いることができる。
【００４８】
炭酸カルシウム、タルク、マイカ、カオリン、ラウロイルリジン、二酸化チタン、二酸化亜鉛等の粉末成分；
【００４９】
ホホバ油、マカデミアナッツ油、アボガド油、月見草油、ミンク油、ナタネ油、ヒマシ油、ヒマワリ油、トーモロコシ油、カカオ油、ヤシ油、コメヌカ油、オリーブ油、アーモンド油、ごま油、サフラワー油、大豆油、椿油、パーシック油、ヒマシ油、ミンク油、綿実油、モクロウ、パーム油、パーム核油、卵黄油、ラノリン、スクワレン等の天然動植物油脂類、合成トリグリセライド；
【００５０】
スクワラン、流動パラフィン、ワセリン、セレシン、マイクロクリスタリンワックス、イソパラフィン等の炭化水素類；
カルナバウロウ、パラフィンワックス、鯨ロウ、ミツロウ、キヤンデリラワックス、ラノリン等のワックス類；
【００５１】
セタノール、ステアリルアルコール、ラウリルアルコール、セトステアリルアルコール、オレイルアルコール、ベヘニルアルコール、ラノリンアルコール、水添ラノリンアルコール、ヘキシルデカノール、オクチルドデカノール等の高級アルコール類；
【００５２】
ラウリン酸、ミリスチン酸、パルミチン酸、ステアリン酸、ベヘニン酸、イソステアリン酸、オレイン酸、リノレン酸、リノール酸、オキシステアリン酸、ウンデシレン酸、ラノリン脂肪酸、硬質ラノリン脂肪酸、軟質ラノリン脂肪酸等の高級脂肪酸類；
コレステリル−オクチルドデシル−ベヘニル等のコレステロールおよびその誘導体；
イソプロピルミリスチン酸、イソプロピルパルミチン酸、イソプロピルステアリン酸、２エチルヘキサン酸グリセロール、ブチルステアリン酸、リノール酸エチル等のエステル類；
【００５３】
ジエチレングリコールモノプロピルエーテル、ポリオキシエチレンポリオキシプロピレンペンタエリトリトールエーテル、ポリオキシプロピレンブチルエーテル等の極性オイル；
【００５４】
その他、メチルフェニルポリシロキサン、メチルポリシロキサン、オクタメチルシクロテトラシロキサン、デカメチルシクロペンタシロキサン、ドデカメチルシクロヘキサシロキサン、メチルシクロポリシロキサン、オクタメチルトリシロキサン、デカメチルテトラシロキサン、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルハイドロジェンポリシロキサン、テトラヒドロテトラメチルシクロテトラシロキサン、ステアロキシメチルポリシロキサン、セトキシメチルポリシロキサン、メチルポリシロキサンエマルション、高重合メチルポリシロキサン（１）および（２）、トリメチルシロキシケイ酸、架橋型メチルポリシロキサン、架橋型メチルフェニルポリシロキサン、架橋型メチルフェニルポリシロキサン、架橋型メチルフェニルポリシロキサン（２）等、更にはアミノ変性シリコーン、エポキシ変性シリコーン、カルボキシル変性シリコーン、カルビノール変性シリコーン、メタクリル変性シリコーン、メルカプト変性シリコーン、フェノール変性シリコーン、片末端反応性シリコーン、異種官能基変性シリコーン、ポリエーテル変性シリコーン、メチルスチリル変性シリコーン、アルキル変性シリコーン、高級脂肪酸エステル変性シリコーン、親水性特殊変性シリコーン、高級アルコキシ変性シリコーン、高級脂肪酸含有シリコーン、フッ素変性シリコーン等の各種誘導体を含むシリコーン類；
【００５５】
パラアミノ安息香酸およびその誘導体、ホモメチル−７Ｎ−アセチルアラントイラニレート、ブチルメトキシベンゾイルメタン、ジ−パラメトキシケイ皮酸ーモノー２ーエチルヘキサン酸グリセリル、オクチルシンナメート等のパラメトキシケイ皮酸誘導体、アミルサリシレート等のサリチル酸誘導体、２，４−ジヒドロキシベンゾフェノン等のベンゾフェノン誘導体、ジメトキシベンジリデンジオキソイミダゾリンプロピオン酸エチルヘキシル、酢酸液状ラノリン、コガネバナ根抽出エキス、トリアニリノ−ｐ−カルボエチルヘキシルオキシ−トリアジン等の紫外線吸収剤；
【００５６】
アルブチン、コウジ酸、リン酸アスコルビン酸マグネシウムなどのアスコルビン酸およびその誘導体、グルタチオン、甘草エキス、チョウジエキス、茶抽出物、アスタキサンチン、牛胎盤エキス、トコフェロールおよびその誘導体、トラネキサム酸およびその塩、アズレン、γ−ヒドロキシ酪酸等の美白成分；
【００５７】
マルチトール、ソルビトール、グリセリン、プロピレングリコール、１，３−ブチレングリコール、ポリエチレングリコール、グリコール等の多価アルコール、ピロリドンカルボン酸ソーダ、乳酸ソーダ、クエン酸ソーダなど有機酸およびその塩、ヒアルロン酸ソーダなどヒアルロン酸およびその塩、酵母および酵母抽出液の加水分解物、酵母培養液、乳酸菌培養液など醗酵代謝産物、コラーゲン、エラスチン、ケラチン、セリシン等の水溶性蛋白、コラーゲン加水分解物、カゼイン加水分解物、シルク加水分解物、ポリアスパラギン酸ナトリウム等のぺプチド類およびその塩、トレハロース、キシロビオース、マルトース、ラフィノース、メリビオース、蔗糖、ブドウ糖、植物性粘質多糖等の糖類、結晶性セルロース、非結晶性セルロース、キシラン、マンナン、ガラクタン、アラビナン、アラビノキシラン等の多糖類およびその誘導体、水溶性キチン、キトサン、ペクチン、コンドロイチン硫酸およびその塩等のグリコサミノグリカンおよびその塩、グリシン、セリン、スレオニン、アラニン、アスパラギン酸、チロシン、バリン、ロイシン、アルギニン、グルタミン、プロリン酸等のアミノ酸、アミノカルボニル反応物等の糖アミノ酸化合物、アロエ、マロニエ等の植物抽出液、トリメチルグリシン、尿素、尿酸、アンモニア、レシチン、ラノリン、スクワラン、スクワレン、グルコサミン、クレアチニン、ＤＮＡ、ＲＮＡ等の核酸関連物質等の保湿剤；
【００５８】
カルボキシメチルセルロース、ヒドロキシエチルセルロースヒドロキシプロピルトリメチルアンモニウムクロリドエーテル、エチルセルロース、ヒドロキシプロピルセルロース、メチルヒドロキシプロピルセルロース、デンプン、可溶性デンプン、カルボキシメチルデンプン、メチルデンプン、アルギン酸プロピレングリコールエステル、メチルセルロース、アラビアガム、キサンタンガム、グアーガム、ローカストビンガム、クインスシード、カラギーナン、ガラクタン、ペクチン、マンナン、デキストラン、サクシノグルカン、カードラン、ゼラチン、カゼイン、アルブミン、コラーゲン、メトキシエチレン無水マレイン酸共重合体、ポリ塩化ジメチルメチレンピペリジニウム、ポリ酢酸ビニル、ポリビニルアルコール、ポリビニルピロリドン、ポリビニルメチルエーテル、カルボキシビニルポリマー、ニトロセルロース、ポリエチレングリコール脂肪酸エステル、ジステアリン酸ポリエチレングリコール等のポリオキシエチレン脂肪酸エステル、ポリオキシエチレンジオレイン酸メチルグルコシド等のポリオキシエチレン脂肪酸エステルメチルグリコシド等の増粘剤；
【００５９】
エチレンジアミン四酢酸およびその塩類、ヒドロキシエチレンジアミン３酢酸およびその塩類、リン酸、アスコルビン酸、コハク酸、グルコン酸、ポリリン酸塩類、メタリン酸塩類などの金属イオン封鎖剤；エタノール、プロピレングリコール、１，３ーブチレグリコール等の有機溶剤、ブチルヒドロキシトルエン、トコフェロール、フィチン酸等の酸化防止剤；
【００６０】
安息香酸およびその塩、サリチル酸およびその塩、ソルビン酸およびその塩、パラオキシ安息香酸アルキルエステル（エチルパラベン、ブチルパラベン等）およびその塩、デヒドロ酢酸およびその塩類、パラクロルメタクレゾール、ヘキサクロロフェン、ホウ酸、レゾルシン、トリブロムサラン、オルトフェニルフェノール、グルコン酸クロルヘキシジン、チラム、感光素２０１号、フェノキシエタノール、塩化ベンゼトニウム、ハロカルバン、塩化クロルヘキシジン、トリクロロカルバニド、酢酸トコフェロール、ジンクピリチオン、ヒノキチオール、フェノール、イソプロピルメチルフェノール、２，４，４−トリクロロ−２−ヒドロキシフェノール、ヘキサクロロフェン等の抗菌・防腐剤；
クエン酸、リンゴ酸、酒石酸、乳酸、アジピン酸、グルタミン酸、アスパラギン酸、マレイン酸等の有機酸；ビタミンＡ及びその誘導体；ビタミンＢ６塩酸塩、ビタミンＢ６トリパルミテート、ビタミンＢ６ジオクタノエート、ビタミンＢ２及びその誘導体等のビタミンＢ類；
【００６１】
アスコルビン酸、アスコルビン酸硫酸エステル、アスコルビン酸リン酸エステル等のビタミンＣ類、αトコフェロール、βトコフェロール、γトコフェロール等のビタミンＥ類、ビタミンＤ類、ビタミンＨ、パントテン酸等のビタミン類；
【００６２】
ニコチン酸アミド、ニコチン酸ベンジル、γ−オリザノール、アラントイン、グリチルリチン酸（塩）グリチルレチン酸およびその誘導体、ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノールなどの血行促進剤；
【００６３】
トウガラシチンキ、ショオウキョウチンキ、カンタリスチンキ、ニコチン酸ベンジルエステルなどの局所刺激剤、各種ビタミンやアミノ酸などの栄養剤、グリチルレチン酸、グリチルリチン酸誘導体、アラントイン、アズレン、アミノカプロン酸、ヒドロコルチゾンなどの抗炎症剤；酸化亜鉛、硫酸亜鉛、アラントインヒドロキシアルミニウム、塩化アルミニウム、スルホ石炭酸亜鉛、タンニン酸などの収斂剤；
【００６４】
メントール、カンフルなどの清涼剤；
抗ヒスタミン剤；
トコフェロール類、ＢＨＡ、ＢＨＴ、没食子酸、ＮＤＧＡなどの酸化防止剤等の各種薬剤；
【００６５】
サッカロマイセスなどの酵母、糸状菌、バクテリア、牛胎盤、人胎盤、人臍帯、酵母、牛コラーゲン、牛乳由来蛋白、小麦、大豆、牛血液、ブタ血液、鶏冠、カミツレ、キュウリ、コメ、シアバター、シラカバ、茶、トマト、ニンニク、ハマメリス、バラ、ヘチマ、ホップ、モモ、アンズ、レモン、キウイ、ドクダミ、トウガラシ、クララ、ギシギシ、コウホネ、セージ、ノコギリ草、ゼニアオイ、センキュウ、センブリ、タイム、トウキ、トウヒ、バーチ、スギナ、ヘチマ、マロニエ、ユキノシタ、アルニカ、ユリ、ヨモギ、シャクヤク、アロエ、アロエベラ、オウゴン、オウバク、コウカ、ベニバナ、サンシン、シコン、タイソウ、チンピ、ニンジン、ヨクイニン、ハトムギ、クチナシ、サワラ等の動植物・微生物およびその一部から有機溶媒、アルコール、多価アルコール、水、水性アルコール等で抽出または加水分解して得た天然エキス；色素；香料；精製水等を配合することができる。
【００６６】
この内、粉末成分との併用は、物理的な摩擦効果によって洗浄力を高めると共に、粒子表面に汚れを吸着することで有効である。
【００６７】
また、油性成分との併用は油性成分の溶剤効果により油性の汚れを可溶化する効果があるために洗浄力の向上に適している。油性成分の中でも、シリコーン類との併用は使用後にさっぱりした感触を与える為に特に有効である。
【００６８】
さらに、保湿剤を併用することは過剰な脱脂による皮膚の荒れを防止することが出来、使用感の向上に寄与する。
【００６９】
金属イオン封鎖剤、酸化防止剤、防腐剤との併用は長期間または過酷な使用条件下における製品の変化を防止し、良好な使用感を提供しつづける上で有効である。
【実施例】
【００７０】
次に、本発明を実施例により更に詳細に説明するが、本発明はこれによって何ら限定されるものではない。
【００７１】
［製造例１〜６］
特許文献６（特開昭５１−６１９０号公報）及び特許文献７（国際公開ＷＯ２００７/０５８１４３パンフレット）の実施例を参考に、式（ｂ）で示される（メタ）アクリル酸エステルのＲ３（アルキル基）の炭素原子数が異なる共重合体Ａ〜Ｆを得た。共重合体のＲ３の炭素原子数は、表１の通りである。具体的には、以下の要領で共重合体を製造した。
【００７２】
アクリル酸及びアルキルアクリレートの一連のバッチ重合を開始剤としてカプリルパーオキサイドを用いて６５℃にてベンゼン中で行った。反応は乾燥窒素の下で、ガラス容器中で行った。ベンゼンに不溶の重合体を遠心分離で分離し、５５℃で真空オーブン中で乾燥し、共重合体を得た。
【００７３】
【表１】
0005885938.tif 000006
【００７４】
［官能評価］
後述する実施例１〜１１および比較例１〜５で得られた組成物で、パネラー１０人に手洗いを行ってもらい、手洗い時の研磨材の感触と、水で洗い流す際のすすぎ性を評価した。評価基準は次の通りである。
【００７５】
「組成物の感触評価基準」
３点：感触が良い。
２点：やや感触が良い。
１点：やや感触が悪い。
０点：感触が悪い。
【００７６】
「すすぎ性評価基準」
３点：すすぎ性が良い。
２点：ややすすぎ性が良い。
１点：ややすすぎ性が悪い。
０点：すすぎ性が悪い。
【００７７】
上記評価基準でパネラー１０人の評価した点数の平均値を求める。
【００７８】
[実施例・参考例１〜７]
共重合体Ａ〜Ｆを配合した表２に示す組成物を得た。ｐＨは、７．０であり、粘度は、５０００ｍＰａ・ｓである。得られた組成物を用いて、官能評価を行った結果を表２に示す。
【００７９】
［比較例１〜３］
比較例１〜３では、それぞれ、実施例１で用いた共重合体Ａの代わりに、比較例１ではＣａｒｂｏｐｏｌ９４１、比較例２では、Ｃａｒｂｏｐｏｌ９８０、比較例３では、ＡＱＵＰＥＣ（ＨＶ−５０５Ｅ）を用いた以外は、実施例１と同様にして組成物を得た。得られた組成物を用いて、官能評価を行った結果を表２に示す。
なお、比較例１〜３で用いた増粘剤は、式（ａ）と式（ｂ）を共重合した共重合体ではなく、式（ａ）のみの重合体である。
【００８０】
【表２】
0005885938.tif 000007
【００８１】
なお、表２中の組成の数値の単位は質量部である。
実施例・参考例１〜４と、比較例１〜３とを比較すると、本発明の共重合体を用いた組成物の方が、すすぎ性が非常に高いことがわかる。また、Ｒ３の炭素数が１０〜３０の共
重合体Ｂ〜Ｅを用いた実施例２、３、５(参考例)、６(参考例)は、Ｒ３の炭素数が１０〜３０でない共重合体Ａ、Ｆを用いた実施例(参考例)１、４、７に比べて、すすぎ性がより高いことがわかる。
【００８２】
[実施例８〜１１、比較例４〜５]
表３に示す組成で組成物を得た。ｐＨは、７．０であり、粘度は、５０００ｍＰａ・ｓである。得られた組成物を用いて、官能評価を行った結果を表３に示す。
【００８３】
【表３】
0005885938.tif 000008
【００８４】
なお、表３中の組成の数値の単位は質量部である。
実施例８〜１１と、比較例４〜５とを比較すると、ポリオキシプロピレン基を有する非イオン性界面活性剤を用いた組成物は、それ以外の非イオン性界面活性剤を用いた組成物に比べて、すすぎ性が非常に高いことがわかる。
【００８５】
また、界面活性剤として、ポリオキシエチレンポリオキシプロピレンプロピルヘプチルエーテルを用いた実施例８、９の方が、界面活性剤として、ポリオキシエチレンポリオキシプロピレンセチルエーテルを用いた実施例１０、１１に対して、すすぎ性が高いことがわかる。
【産業上の利用可能性】
【００８６】
本発明の組成物は、切削油や粘度の高いグリース類、人体に付着した皮脂、土汚れ、カーボンブラック等の頑固な汚れを洗浄することにおいて好適に利用できる。